(57)【要約】【課題】映像機器の入力装置で、他の映像機器の入力装置との間でデータを切り替えて無線伝送させる。【解決手段】  複数の送信装置と、該複数の送信装置からのデータを受信する受信装置とを有する通信システムは、データが入力されるデータ入力処理部と、データ入力処理部により入力されたデータを送信する制御を実行する第１の制御部と、第１の制御部による制御に従って前記データを送信する第１の無線通信処理部とを有し、第１の制御部は、他の送信装置に対して該他の送信装置に入力されるデータを受信装置に送信する制御を実行する送信装置と、複数の送信装置のいずれか１つからデータを受信する第２の無線通信処理部と、第２の無線通信処理部で受信するデータの制御を実行する第２の制御部と、第２の制御部による制御に従って、第２の無線通信処理部により受信されたデータを出力するデータ出力処理部とを有する受信装置とを有する。【選択図】図１
2014179696.tif 000002
【特許請求の範囲】
【請求項１】
複数の送信装置と、該複数の送信装置からのデータを受信する受信装置とを有する通信システムであって、
前記複数の送信装置の各々は、
データが入力されるデータ入力処理部と、
前記データ入力処理部により入力されたデータを送信する制御を実行する第１の制御部と、
前記第１の制御部による制御に従って前記データを送信する第１の無線通信処理部と
を有し、
前記第１の制御部は、他の送信装置に対して該他の送信装置に入力されるデータを前記受信装置に送信する制御を実行し、
前記受信装置は、
前記複数の送信装置のいずれか１つからデータを受信する第２の無線通信処理部と、
前記第２の無線通信処理部で受信するデータの制御を実行する第２の制御部と、
前記第２の制御部による制御に従って、前記第２の無線通信処理部により受信されたデータを出力するデータ出力処理部と
を有する通信システム。
【請求項２】
前記第１の制御部は、前記他の送信装置に対して該他の送信装置に入力されるデータの送信を実行させる制御を実行するとともに、前記データ入力処理部により入力されたデータを送信する制御を実行する、請求項１に記載の通信システム。
【請求項３】
前記第１の制御部は、前記データ入力処理部により入力されたデータの送信を停止する制御を実行するとともに、前記他の送信装置に対して該他の送信装置に入力されるデータを送信させる制御を実行する請求項１又は２に記載の通信システム。
【請求項４】
前記複数の送信装置と、前記受信装置との間で、通信に使用する周波数帯域の予約が実行される、請求項１ないし３のいずれか１項に記載の通信システム。
【請求項５】
前記第１の制御部により、前記他の送信装置に該他の送信装置に入力されるデータを送信させる制御が実行される際に、該他の送信装置と前記受信装置との間での通信に使用する帯域の予約が実行される、請求項１ないし４のいずれか１項に記載の通信システム。
【請求項６】
前記複数の送信装置の各々は、
前記データ入力処理部により入力されたデータを圧縮する圧縮部
を有し、
前記第１の制御部は、前記圧縮部により圧縮されたデータを送信する制御を実行し、
前記受信装置は、
前記第２の無線通信処理部により受信された圧縮されたデータを伸長する伸長部
を有し、
前記第２の制御部は、前記伸長部により伸長されたデータの制御を実行する、請求項１ないし５のいずれか１項に記載の通信システム。
【請求項７】
前記複数の送信装置の各々は、
前記データ入力処理部により入力されたデータを暗号化する暗号化部
を有し、
前記第１の制御部は、前記暗号化部により暗号化されたデータを送信する制御を実行し、
前記受信装置は、
前記第２の無線通信処理部により受信された暗号化されたデータを復号する復号部
を有し、
前記第２の制御部は、前記復号部により復号されたデータの制御を実行する、請求項１ないし６のいずれか１項に記載の通信システム。
【請求項８】
複数の送信装置と、該複数の送信装置からのデータを受信する受信装置とを有する通信システムにおける送信装置であって、
データが入力されるデータ入力処理部と、
前記データ入力処理部により入力されたデータを送信する制御を実行する第１の制御部と、
前記制御部により制御により前記データを送信する第１の無線通信処理部と
を有し、
前記第１の制御部は、他の送信装置に対して該他の送信装置に入力されるデータを前記受信装置に送信する制御を実行する送信装置。
【請求項９】
複数の送信装置と、該複数の送信装置からのデータを受信する受信装置とを有する通信システムにおける受信装置であって、
前記複数の送信装置のいずれか１つからデータを受信する第２の無線通信処理部と、
前記第２の無線通信処理部で受信するデータの制御を実行する第２の制御部と、
前記第２の制御部による制御に従って、前記第２の無線通信処理部により受信されたデータを出力するデータ出力処理部と
を有し、
前記複数の送信装置の１つにより、他の送信装置に対して該他の送信装置に入力されるデータを送信する制御が実行される、受信装置。
【請求項１０】
複数の送信装置と、該複数の送信装置からのデータを受信する受信装置とを有する通信システムにおける通信方法であって、
前記複数の送信装置の各々は、
データが入力されるデータ入力処理ステップと、
前記データ入力処理ステップにより入力されたデータを送信する制御を実行する第１の制御ステップと、
前記第１の制御ステップによる制御により前記データを送信する第１の無線通信処理ステップと
を有し、
前記第１の制御ステップでは、他の送信装置に対して該他の送信装置に入力されるデータを前記受信装置に送信する制御を実行し、
前記受信装置は、
前記複数の送信装置のいずれか１つからデータを受信する第２の無線通信処理ステップと、
前記第２の無線通信処理ステップで受信するデータの制御を実行する第２の制御ステップと、
前記第２の制御ステップによる制御に従って、前記第２の無線通信処理ステップにより受信されたデータを出力するデータ出力処理ステップと
を有する通信方法。
【発明の詳細な説明】
【技術分野】
【０００１】
本発明は、通信システムに関する。
【背景技術】
【０００２】
近年、ケーブル等を使用せずに無線ネットワーク（無線LANやミリ波通信）を用いて、プロジェクタやモニタなどの表示装置にPC(Personal Computer)などの映像機器の画面出力ビデオインタフェース信号を無線伝送し、投影する無線ネットワークプロジェクタシステムが開発されている。
【０００３】
複数の無線通信装置間で映像データ及び音声データを無線伝送する場合に、無線を用いて映像データ及び音声データをワンタッチで再生することを可能にする技術が知られている（例えば、特許文献１参照）。
【０００４】
表示装置と、該表示装置に接続される複数の映像機器と、映像機器を制御するためのリモコンで構成されるAVシステムを使用して、リモコンのボタンを押し下げることにより表示装置に表示される映像元の映像機器を選択し、変更する技術が知られている（例えば、特許文献２参照）。
【発明の概要】
【発明が解決しようとする課題】
【０００５】
複数の映像機器や各映像機器に取り付けられたモジュールを選択して、該映像機器やモジュールから1台の表示装置や該表示装置に取り付けられたモジュールに映像データ及び音声データを伝送させることを考える。該1台の表示装置や該表示装置に取り付けられたモジュールは、映像データ及び音声データを投影する。
【０００６】
この場合、ユーザは、映像データ及び音声データを伝送させる映像機器やモジュールを選択することはできない。
【０００７】
また、ビデオ出力インターフェースにモジュールを取り付ける場合、実装サイズを可能な限り小さくすることが求められる。従って、ビデオ出力インターフェースに、複数のユーザ入力装置や、複雑なユーザ入力装置を取り付けることができない。
【０００８】
そこで、本発明は、映像機器の入力装置で、他の映像機器の入力装置との間でデータを切り替えて無線伝送させることを目的とする。
【課題を解決するための手段】
【０００９】
開示の一実施例の通信システムは、
複数の送信装置と、該複数の送信装置からのデータを受信する受信装置とを有する通信システムであって、
前記複数の送信装置の各々は、
データが入力されるデータ入力処理部と、
前記データ入力処理部により入力されたデータを送信する制御を実行する第１の制御部と、
前記第１の制御部による制御に従って前記データを送信する第１の無線通信処理部と
を有し、
前記第１の制御部は、他の送信装置に対して該他の送信装置に入力されるデータを前記受信装置に送信する制御を実行し、
前記受信装置は、
前記複数の送信装置のいずれか１つからデータを受信する第２の無線通信処理部と、
前記第２の無線通信処理部で受信するデータの制御を実行する第２の制御部と、
前記第２の制御部による制御に従って、前記第２の無線通信処理部により受信されたデータを出力するデータ出力処理部と
を有する。
【発明の効果】
【００１０】
開示の実施例によれば、映像機器の入力装置で、他の映像機器の入力装置との間でデータを切り替えて無線伝送させることができる。
【図面の簡単な説明】
【００１１】
【図１】通信システムの一実施例を示す図である。
【図２】送信フレームの一実施例を示す図である。
【図３】無線ネットワークプロジェクタシステムにおける送受信処理の一実施例（その１）を示す図である。
【図４】無線ネットワークプロジェクタシステムにおける送受信処理の一実施例（その２）を示す図である。
【図５】無線ネットワークプロジェクタシステムの動作の一実施例を示すシーケンスチャートである。
【図６】送信メッセージの一実施例を示す図である。
【図７】送信メッセージの一実施例を示す図である。
【図８】無線ネットワークプロジェクタシステムにおける送受信処理の一実施例（その３）を示す図である。
【図９】無線ネットワークプロジェクタシステムの動作の一変形例を示すシーケンスチャートである。
【図１０】第１の無線通信装置の動作の一変形例を示すフローチャートである。
【図１１】第３の無線通信装置の動作の一変形例を示すフローチャートである。
【図１２】通信システムの一実施例を示す図である。
【図１３】無線ネットワークプロジェクタシステムにおける送受信処理の一実施例（その４）を示す図である。
【図１４】無線ネットワークプロジェクタシステムの動作の一変形例を示すシーケンスチャートである。
【図１５】通信システムの一実施例を示す図である。
【図１６】無線ネットワークプロジェクタシステムの動作の一変形例を示すフローチャートである。
【図１７】通信システムの一実施例を示す図である。
【図１８】無線ネットワークプロジェクタシステムの動作の一変形例を示すシーケンスチャートである。
【発明を実施するための形態】
【００１２】
次に、本発明を実施するための形態を、以下の実施例に基づき図面を参照しつつ説明する。以下で説明する実施例は一例に過ぎず、本発明が適用される実施の形態は、以下の実施例に限られない。
なお、実施例を説明するための全図において、同一機能を有するものは同一符号を用い、繰り返しの説明は省略する。
【００１３】
＜第１の実施例＞
＜通信システム＞
図１は、通信システムの一実施例を示す。図１には、通信システムの一実施例として、無線ネットワークプロジェクタシステムが示される。
【００１４】
無線ネットワークプロジェクタシステムは、第１の無線通信装置１００と、第２の無線通信装置２００と、第３の無線通信装置３００により構成される。
【００１５】
第１の無線通信装置１００及び第２の無線通信装置２００は、映像データ、音声データを出力する映像・音声出力端子に接続される。以下、第１の無線通信装置１００及び第２の無線通信装置２００は、それぞれ第１のソース機及び第２のソース機と呼ばれることもある。映像・音声出力端子は、ＰＣ(Personal Computer)などの端末装置やメディアプレーヤなどの携帯端末装置が有するものであるのが好ましい。無線ネットワークプロジェクタシステムが、第１の無線通信装置１００及び第２の無線通信装置２００と同様の機能を有する無線通信装置を３台以上有していてもよい。
【００１６】
第３の無線通信機器３００は、ＴＶやプロジェクタなどの表示装置の映像・音声入力端子に、第１の無線通信装置１００及び第２の無線通信装置２００からの映像データ、音声データを入力する。以下、映像データと、音声データを合わせて、映像音声データという。以下、第３の無線通信装置３００は、シンク機と呼ばれることもある。
【００１７】
＜第１の無線通信装置１００＞
第１の無線通信装置１００は、映像音声入力処理部１０２と、ユーザ入力装置１０４と、装置情報記憶部１０６と、無線通信情報記憶部１０８と、無線通信処理部１１０と、制御部１１２とを有する。第２の無線通信装置２００の構成は、第１の無線通信装置１００の構成と略同一であるため、説明を省略する。
【００１８】
映像音声入力処理部１０２には、第１の無線通信装置１００が接続された映像・音声出力端子から、映像音声データが入力される。映像・音声出力端子は、DVI（Digital Visual Interface）やHDMI（High-Definition Multimedia Interface）などの規格に準拠したものであるのが好ましい。映像音声入力処理部１０２は、制御部１１２へ、映像音声データを入力する。制御部１１２に入力された映像音声データは、無線通信処理部１１０へ入力される。
【００１９】
ユーザ入力装置１０４は、ユーザからの入力を受け付ける。ユーザ入力装置１０４は、制御部１１２へ、ユーザからの入力情報を入力する。ユーザ入力装置１０４は、例えばボタンスイッチなどで構成されるのが好ましい。
【００２０】
装置情報記憶部１０６は、無線通信装置固有のIDを記憶する。ここで、無線通信装置固有のIDは、第１のソース機、第２のソース機、及びシンク機のMACアドレスであるのが好ましい。無線通信装置固有のIDは、MACアドレスに限らず他の識別子であってもよい。
【００２１】
無線通信情報記憶部１０８は、無線通信で使用する周波数帯域や、映像音声を送信する帯域の予約情報、ストリームIDなどを記憶する。
【００２２】
制御部１１２は、映像音声入力処理部１０２、ユーザ入力装置１０４、装置情報記憶部１０６、及び無線通信情報記憶部１０８と接続される。制御部１１２は、映像音声入力処理部１０２、ユーザ入力装置１０４、装置情報記憶部１０６、無線通信情報記憶部１０８、及び無線通信処理部１１０を制御する。制御部１１２は、CPU(Central Processing Unit)やメモリで構成されるのが好ましい。
【００２３】
制御部１１２は、ユーザ入力装置１０４からの入力情報の入力種別を判別する。制御部１１２は、ユーザ入力装置１０４のボタンスイッチが高速で連続で押されたことや、長い時間押されたことなどにより入力情報の入力種別を判別するのが好ましい。
【００２４】
制御部１１２は、ユーザ入力装置１０４からの入力情報がユーザ入力Ａであるか否かを判別する。入力情報がユーザ入力Ａである場合、制御部１１２は、第３の無線通信装置３００へ、映像音声データの送信を開始することを示す送出開始要求を送信する制御を実行する。入力情報がユーザ入力Ａである場合には、第１の無線通信装置１００から第３の無線通信装置３００へ送出開始要求が送信された後、第２の無線通信装置２００と第３の無線通信装置３００との間で制御情報のやり取りが実行され、第２の無線通信装置２００からの映像音声データの送信が停止される。具体的には、第３の無線通信装置３００から第２の無線通信装置２００へ、映像音声データの送信を停止することを示す送出停止要求が送信される。第２の無線通信装置２００の制御部２１２は、第３の無線通信装３００からの送出停止要求に従って、映像音声データの送信を停止する制御を実行する。制御部１１２は、無線通信処理部１１０から第３の無線通信装置３００へ、映像音声入力処理部１０２からの映像音声データを送信する制御を実行する。
【００２５】
制御部１１２は、ユーザ入力装置１０４からの入力情報がユーザ入力Ｂであるか否かを判別する。入力情報がユーザ入力Ｂである場合、制御部１１２は、無線通信処理部１１０から第３の無線通信装置３００へ、映像音声入力処理部１０２からの映像音声データを送信する制御を停止する。映像音声データを送信する制御を停止した後、制御部１１２は、第３の無線通信装置３００へ、映像音声データを送信する制御を停止したことを示す停止済通知を送信する制御を実行する。入力情報がユーザ入力Ｂである場合には、第１の無線通信装置１００から第３の無線通信装置３００へ停止済通知が送信された後、第３の無線通信装置３００と第２の無線通信装置２００との間で制御情報のやり取りが実行され、第２の無線通信装置２００から第３の無線通信装置３００へ映像音声データの送信が実行される。具体的には、第３の無線通信装置３００から第２の無線通信装置２００へ、映像音声データの送信を開始することを示す送出開始要求が送信される。第２の無線通信装置２００の制御部２１２は、第３の無線通信装３００からの送出開始要求に従って、映像音声データの送信を開始する制御を実行する。
【００２６】
制御部１１２は、制御部２１２の機能として説明した機能も有する。
【００２７】
無線通信処理部１１０は、制御部１１２と接続される。無線通信処理部１１０は、映像音声データを無線送信する。無線通信処理部１１０は、WiMedia(IEEE[The Institute of Electrical and Electronics Engineers, Inc] 802.15.3a, ECMA-368)、IEEE 802.11無線LAN、ミリ波による無線PAN(IEEE 802.15.3c等)などの規格に従って無線送信するのが好ましい。
【００２８】
図２は、無線通信処理部１１０により送信されるフレームの一実施例を示す。図２には、IEEE802.11無線LANのMAC（Medium Access Control）フレーム基本フォーマットを示す。
【００２９】
IEEE802.11無線LANのMACフレーム基本フォーマットは、MACヘッダと、フレーム・ボディと、FCS(Frame Check Sequence)により構成される。
【００３０】
MACヘッダには、フレーム制御用情報、送信側のMACアドレスなどが付帯される。
【００３１】
フレーム・ボディには、送信するデータが付帯される。
【００３２】
FCSには、MACヘッダ、フレーム・ボディについての誤り訂正符号が付帯される。
【００３３】
無線ネットワークプロジェクタシステムの一実施例では、映像音声データを無線伝送する無線通信装置のMACアドレスがMACヘッダに付帯され、映像データや音声のデータはフレーム・ボディに付帯される。
【００３４】
IEEE802.11無線LAN以外の無線通信の規格として、WiMediaやミリ波による無線PAN(IEEE802.15.3c)などを利用した場合でも、フレームの基本フォーマットは大きくは変わらない。
【００３５】
＜第３の無線通信装置３００＞
第３の無線通信装置３００は、無線通信処理部３０２と、装置情報記憶部３０４と、無線通信情報記憶部３０６と、映像音声出力処理部３０８と、制御部３１０とを有する。
【００３６】
無線通信処理部３０２は、第１の無線通信装置１００、第２の無線通信装置２００からの同期用データ、制御データ、映像音声データを受信する。無線通信処理部３０２は、WiMedia、IEEE802.11無線LAN、ミリ波による無線PANなどの規格に従って受信するのが好ましい。無線通信処理部３０２は、制御部３１０へ、受信した同期用データ、制御データ、映像音声データを入力する。
【００３７】
装置情報記憶部３０４は、無線通信装置固有のIDを記憶する。ここで、無線通信装置固有のIDは、第１のソース機、第２のソース機、及びシンク機のMACアドレスであるのが好ましい。無線通信装置固有のIDは、MACアドレスに限らず他の識別子であってもよい。
【００３８】
無線通信情報記憶部３０６は、無線通信で使用する周波数帯域や、映像音声を送信する帯域の予約情報、ストリームIDなどを記憶する。
【００３９】
映像音声出力処理部３０８には、第３の無線通信装置３００が接続された映像・音声入力端子へ、映像音声データを入力する。映像・音声入力端子は、DVIやHDMIなどの規格に準拠したものであるのが好ましい。映像音声出力処理部３０８は、映像・音声入力端子へ、制御部３１０からの映像データ、音声データを入力する。
【００４０】
制御部３１０は、無線通信処理部３０２、装置情報記憶部３０４、無線通信情報記憶部３０６、及び映像音声出力処理部３０８と接続される。制御部３１０は、無線通信処理部３０２、装置情報記憶部３０４、無線通信情報記憶部３０６、及び映像音声出力処理部３０８を制御する。制御部３１０は、CPUやメモリで構成されるのが好ましい。
【００４１】
制御部３１０は、第１の無線通信装置１００、第２の無線通信装置２００からの同期用信号により同期処理を行う。
【００４２】
制御部３１０は、第１の無線通信装置１００、第２の無線通信装置２００からの制御データに基づいて、第１の無線通信装置１００と、第２の無線通信装置２００との間で通信制御を実行する。具体的には、制御部３１０は、第１の無線通信装置１００からの送出開始要求が入力された場合、第２の無線通信装置２００により映像音声データが送信されることを停止させるための送出停止要求を送信する制御を実行する。制御部３１０は、第１の無線通信装置１００へ送出開始要求に対する応答を送信する制御を実行する。
【００４３】
制御部３１０は、第１の無線通信装置１００からの停止済通知が入力された場合、第２の無線通信装置２００に映像音声データを送信させるための送出開始要求を送信する制御を実行する。制御部３１０は、第２の無線通信装置２００から送出開始要求に対する応答が入力されると、第１の無線通信装置１００へ停止済通知に対する応答を送信する制御を実行する。
【００４４】
制御部３１０は、映像音声出力処理部３０８へ、無線通信処理部３０２からの映像音声データを入力する。
【００４５】
映像音声出力処理部３０８は、第３の無線通信装置３００が接続された表示装置（図示なし）の映像・音声入力端子へ、制御部３１０からの映像音声データを出力する。映像・音声入力端子は、DVIやHDMIなどの規格に準拠したものであるのが好ましい。
【００４６】
映像音声データは、第１の無線通信装置１００の映像音声入力処理部１０２に入力される。映像音声データは、無線通信処理部１１０及びアンテナを経由して無線伝送される。映像音声データは、第３の無線通信装置３００の無線通信処理部３０２で受信される。映像音声データは、映像音声出力処理部３０８からモニタや外部プロジェクタ、モニタ等の表示装置の映像・音声入力端子に出力される。
【００４７】
＜無線ネットワークプロジェクタシステムにおける送受信処理（その１）＞
図３は、無線ネットワークプロジェクタシステムにおける送受信処理の一実施例（その１）を示す。
【００４８】
第１の無線通信装置１００、第２の無線通信装置２００、及び第３の無線通信装置３００は、時分割多元接続(TDMA: Time Division Multiple Access)通信方式で、同一周波数帯を時間的に複数に分割して通信を行うのが好ましい。時分割多元接続通信方式は、WiMediaやミリ波通信で使用される。
【００４９】
図３において、横軸は時間である。時分割多元接続通信方式の一実施例では、一定時間を周期として、ネットワークに参加する第１の無線通信装置１００−第３の無線通信装置３００が同期用データ（ビーコン）を送信する。一定時間は、スーパーフレームと呼ばれてもよい。第１の無線通信装置１００−第３の無線通信装置３００により同期用データが送信されることにより、ネットワークへの参加やデータ通信の帯域予約交渉処理が行われる。
【００５０】
一定時間では、同期用データ以外に制御用データやアプリケーションに応じたデータの送受信処理が実行される。アプリケーションに応じたデータは、映像データ、音声データである。第１の無線通信装置１００−第３の無線通信装置３００によりデータ通信の帯域予約交渉処理が行われる際に、どの無線通信装置が、スーパーフレームのどの時間区間で映像データや音声データを送るのかを交渉して決定するのが好ましい。
【００５１】
無線ネットワークプロジェクタシステムにおける送受信処理の一実施例では、スーパーフレームにより表される一定区間内で１回ずつ交互に第１のソース機と第２のソース機から映像音声データを送出できる時間区間が決定される。
【００５２】
図３に示される例では、最初の連続する２つのスーパーフレーム（１）（２）で、シンク機へ、第１のソース機が映像音声データ（映像音声１）を送信する。図３では、実線で示される時間区間ではデータが送信され、破線で示される時間区間ではデータが送信されないことを示す。また、スーパーフレーム（３）で、シンク機へ、第２のソース機が映像音声データ（映像音声２）を送出する。第１のソース機が映像音声データの送信を中止してから第２のソース機から映像音声データが送信されるまでの間で、第１の無線通信装置１００−第３の無線通信装置３００の間で制御用データの送受信が実行される。
【００５３】
＜無線ネットワークプロジェクタシステムにおける送受信処理（その２）＞
図４は、無線ネットワークプロジェクタシステムにおける送受信処理の一実施例（その２）を示す。
【００５４】
第１の無線通信装置１００、第２の無線通信装置２００、及び第３の無線通信装置３００は、時分割多元接続通信方式で、同一周波数帯を時間的に複数に分割して通信を行うのが好ましい。時分割多元接続通信方式は、WiMediaやミリ波通信で使用される。
【００５５】
図４において、横軸は時間である。時分割多元接続通信方式の一実施例では、一定時間を周期として、ネットワークに参加する第１の無線通信装置１００−第３の無線通信装置３００が同期用データ（ビーコン）を送信する。一定時間は、スーパーフレームと呼ばれてもよい。第１の無線通信装置１００−第３の無線通信装置３００により同期用データが送信されることにより、ネットワークへの参加やデータ通信の帯域予約交渉処理が行われる。
【００５６】
一定時間では、同期用データ以外に制御用データやアプリケーションに応じたデータの送受信処理が実行される。アプリケーションに応じたデータは、映像データ、音声データである。第１の無線通信装置１００−第３の無線通信装置３００によりデータ通信の帯域予約交渉処理が行われる際に、どの無線通信装置が、スーパーフレームのどの時間区間で映像データや音声データを送るのかを交渉して決定するのが好ましい。
【００５７】
無線ネットワークプロジェクタシステムにおける送受信処理の一実施例では、スーパーフレームにより表される一定区間内で、交互に第１のソース機と第２のソース機から映像音声データを送出できる時間区間が複数回設定される。
【００５８】
図４に示される例では、スーパーフレームで、シンク機へ、第１のソース機が映像音声データ（映像音声１）を所定の時間区間を空けて４回送信する。図４では、実線で示される時間区間ではデータが送信され、破線で示される時間区間ではデータが送信されないことを示す。短い時間間隔で、交互に第１のソース機からシンク機へ送信できる時間区間と、第２のソース機からシンク機へ送信できる時間区間とを設定することにより、シンク機から映像・音声入力端子へ、映像音声データが入力される際に、第１のソース機からの映像音声データと第２のソース機からの映像音声データとの間の到達時間の差を短くできる。
【００５９】
＜無線ネットワークプロジェクタシステムの動作＞
図５は、無線ネットワークプロジェクタシステムの動作の一実施例を示す。
【００６０】
図５に示される例では、第１の無線通信装置１００にユーザ入力が行われ、該第１の無線通信装置１００から映像音声の切り替えが実行される。ユーザは、第２の無線通信装置２００や、第３の無線通信装置３００の位置まで移動することなく、第１の無線通信装置１００から第２の無線通信装置２００へ、映像音声データの送信元の切り替えを実行できる。
【００６１】
ステップＳ５０２では、第１の無線通信装置１００及び第２の無線通信装置２００と、第３の無線通信装置３００との間で、無線通信のための同期処理、接続処理、及び通信周波数帯域予約処理が実行される。第１の無線通信装置１００と、第２の無線通信装置２００と、第３の無線通信装置３００との間で設定された規格に従って、同期処理、接続処理、及び通信周波数帯域予約処理が実行される。例えば、WiMediaやIEEE802.15.3cなどの規格に従って処理が実行される。
【００６２】
ステップＳ５０４では、第１の無線通信装置１００にユーザ入力Ａが入力される。例えば、第１の無線通信装置１００のユーザ入力装置１０４のボタンスイッチが押された時間が所定の時間よりも短い場合に、入力情報として、ユーザ入力Ａが入力される。また、例えば、第１の無線通信装置１００のユーザ入力装置１０４のボタンスイッチが押された回数が所定の回数以外の回数押された場合に、入力情報として、ユーザ入力Ａが入力されるようにしてもよい。
【００６３】
ステップＳ５０６では、第１の無線通信装置１００は、第３の無線通信装置３００に、送出開始要求を行う。
【００６４】
ステップＳ５０８では、第３の無線通信装置３００は、第１の無線通信装置１００に、送出開始要求に対する応答を行う。
【００６５】
ステップＳ５１０では、第３の無線通信装置３００は、第２の無線通信装置２００に、送出停止要求を行う。
【００６６】
ステップＳ５１２では、第２の無線通信装置２００は、第３の無線通信装置３００に、送出停止要求に対する応答を行う。
【００６７】
ステップＳ５０６において、第１の無線通信装置１００から第３の無線通信装置３００に送出開始要求が行われることにより、該第３の無線通信装置３００と第２の無線通信装置２００との間で制御データがやり取りされ、第２の無線通信装置２００からの送出が停止される。
【００６８】
図６は、ステップＳ５０６、Ｓ５０８、Ｓ５１０、及びＳ５１２において送信されるメッセージの一実施例を示す。
【００６９】
図６において、第１の無線通信装置１００、第２の無線通信装置２００、及び第３の無線通信装置３００それぞれのMACアドレスを、MACアドレス１、MACアドレス２、及びMACアドレス３という。また、送出開始要求を示す情報、送出停止要求を示す情報、停止済通知を示す情報、及び応答を示す情報を全て1ビットで表現する。第１の無線通信装置１００、第２の無線通信装置２００、及び第３の無線通信装置３００の間で、送信元のMACアドレスと、送信先のMACアドレスと、送出開始要求を示す情報、送出停止要求を示す情報、停止済み通知を示す情報、及び応答を示す情報の何れかの情報とを付帯したメッセージを送受信することで、メッセージの受信側では、メッセージの意味を把握することができる。
【００７０】
ステップＳ５１４では、第１の無線通信装置１００は、第３の無線通信装置３００に、映像音声データの伝送を行う。第１の無線通信装置１００は、第１の無線通信装置１００、第２の無線通信装置２００、及び第３の無線通信装置３００との間で設定された規格に従って、映像音声データの伝送を行う。例えば、WiMediaやIEEE802.15.3cなどの規格に従って処理が実行される。具体的には、図２を参照して説明したMACフレーム基本フォーマットのフレーム・ボディに、映像音声データが付帯される。WiMediaやIEEE802.15.3c、無線LANなどの無線通信規格では、MACアドレスなどの通信相手を識別するアドレスを使用して通信相手が識別される。
【００７１】
ステップＳ５１６では、第２の無線通信装置２００は、省電力モードへ移行する。第２の無線通信装置２００は、映像音声データを伝送しないので、省電力モードへ移行するのが好ましい。例えば、第２の無線通信装置２００は、ハードウェアのクロックをゲーティングするなどして省電力モードへ移行する。つまり、第２の無線通信装置２００は、映像音声入力処理部２０２がハードウェアで構成されている場合には入力されるクロックや電源の供給を停止させる。
【００７２】
ステップＳ５１８では、第１の無線通信装置１００にユーザ入力Ｂが実行される。例えば、第１の無線通信装置１００のユーザ入力装置１０４のボタンスイッチが押された時間が所定の時間よりも長い場合に、ユーザ入力Ｂが実行されるようにしてもよい。また、例えば、第１の無線通信装置１００のユーザ入力装置１０４のボタンスイッチが押された回数が所定の回数押された場合に、ユーザ入力Ｂが実行されるようにしてもよい。
【００７３】
ステップＳ５２０では、第１の無線通信装置１００は、映像音声データを送出する処理を停止する。
【００７４】
ステップＳ５２２では、第１の無線通信装置１００は、第３の無線通信装置３００に、送出停止済通知を行う。
【００７５】
ステップＳ５２４では、第３の無線通信装置３００は、第１の無線通信装置１００に、送出停止済通知に対する応答を行う。
【００７６】
ステップＳ５２６では、第３の無線通信装置３００は、第２の無線通信装置２００に、送出開始要求を行う。第３の無線通信装置３００は、同期用データ（ビーコン）を用いることで、省電力モードから動作モードへ復旧する。
【００７７】
ステップＳ５２８では、第２の無線通信装置２００は、第３の無線通信装置３００に、送出開始要求に対する応答を行う。
【００７８】
図７は、ステップＳ５２２、Ｓ５２４、Ｓ５２６、及びＳ５２８において送信されるメッセージの一実施例を示す。
【００７９】
図７において、第１の無線通信装置１００、第２の無線通信装置２００、及び第３の無線通信装置３００それぞれのMACアドレスを、MACアドレス１、MACアドレス２、及びMACアドレス３という。また、送出開始要求を示す情報、送出停止要求を示す情報、停止済通知を示す情報、及び応答を示す情報を全て1ビットで表現する。第１の無線通信装置１００、第２の無線通信装置２００、及び第３の無線通信装置３００の間で、送信元のMACアドレスと、送信先のMACアドレスと、送出開始要求を示す情報、送出停止要求を示す情報、停止済通知を示す情報、及び応答を示す情報の何れかの情報とを付帯したメッセージを送受信することで、メッセージの受信側では、メッセージの意味を把握することができる。
【００８０】
ステップＳ５３０では、第１の無線通信装置１００は、省電力モードへ移行する。第１の無線通信装置１００は、映像音声データを伝送しないので、省電力モードへ移行するのが好ましい。例えば、第１の無線通信装置１００は、ハードウェアのクロックをゲーティングするなどして省電力モードへ移行する。つまり、第１の無線通信装置１００は、映像音声入力処理部１０２がハードウェアで構成されている場合には入力されるクロックや電源の供給を停止させる。
【００８１】
ステップＳ５３２では、第２の無線通信装置２００は、第３の無線通信装置３００に、映像音声データの伝送を行う。第２の無線通信装置２００は、第１の無線通信装置１００、第２の無線通信装置２００、及び第３の無線通信装置３００との間で設定された規格に従って、映像音声データの伝送を行う。例えば、WiMediaやIEEE802.15.3cなどの規格に従って処理が実行される。具体的には、図２を参照して説明したMACフレーム基本フォーマットのフレーム・ボディに、映像音声データが付帯される。WiMediaやIEEE802.15.3c、無線LANなどの無線通信規格では、MACアドレスなどの通信相手を識別するアドレスを使用して通信相手が識別される。
【００８２】
ステップＳ５０４、Ｓ５１８において、ユーザ入力装置１０４のボタンスイッチを押しながら回転させることにより、第１の無線通信装置１００、第２の無線通信装置２００から、映像音声データが順に出力されるようにしてもよい。
【００８３】
図５に示される処理の順序は一例であり、この順序に限られず、異なる順序で動作してもよい。
【００８４】
無線ネットワークプロジェクタシステムの一実施例によれば、複数の無線通信装置のうちの１つの無線通信装置を操作することにより、該無線通信装置から出力される映像音声データと他の無線通信装置から出力される映像音声データとを切り替えることができる。このため、映像音声データを出力する無線通信装置を切り替える際に、該映像音声データを出力する無線通信装置の位置まで移動する必要がない。つまり、１台の映像機器の入力装置で、他の映像機器の入力装置との間でデータを切り替えて無線伝送させることができる。
【００８５】
＜変形例＞
通信システムの一変形例は、図１と略同一である。
【００８６】
図８は、無線ネットワークプロジェクタシステムにおける送受信処理の一実施例（その３）を示す。
【００８７】
図８において、横軸は時間である。時分割多元接続通信方式の一実施例では、一定時間を周期として、ネットワークに参加する第１の無線通信装置１００−第３の無線通信装置３００が同期用データ（ビーコン）を送信する。一定時間は、スーパーフレームと呼ばれてもよい。第１の無線通信装置１００−第３の無線通信装置３００により同期用データが送信されることにより、ネットワークへの参加やデータ通信の帯域予約交渉処理が行われる。
【００８８】
無線ネットワークプロジェクタシステムにおける送受信処理の一実施例（その１）（その２）では、第１及び第２の無線通信装置が映像音声データを伝送できる時間区間がスーパーフレーム内で予め設定されている。
【００８９】
無線ネットワークプロジェクタシステムにおける送受信処理の一変形例（その３）では、スーパーフレームにおいて、映像音声データが送信された後に、制御フレームや同期用データを使用して、通信帯域の解除と、通信帯域の予約が実行される。
【００９０】
図８に示される例では、時間区間（１）、（２）、（３）で、通信帯域の解除と、通信帯域の予約の実行が可能である。
【００９１】
例えば、第１の無線通信装置１００から第３の無線通信装置３００へ、映像音声データの送信の終了後、時間区間（２）では、第１の無線通信装置１００と第３の無線通信装置３００との間で、制御フレームの送受信が実行され、通信帯域が解除される。また、第１の無線通信装置１００と第２の無線通信装置２００との間で、制御フレームの送受信が実行され、通信帯域が予約される。スーパーフレーム内で、第３の無線通信装置３００と、第１の無線通信装置１００及び第２の無線通信装置２００のいずれか一方との間で無線通信が可能となるため、映像音声データを多量に、かつ時間区間を制御しつつ伝送することができる。
【００９２】
＜無線ネットワークプロジェクタシステムの動作＞
図９は、無線ネットワークプロジェクタシステムの動作の一変形例を示す。
【００９３】
図９に示される例では、第１の無線通信装置１００にユーザ入力が行われ、該第１の無線通信装置１００から映像音声の切り替えが実行される。ユーザは、第２の無線通信装置２００や、第３の無線通信装置３００の位置まで移動することなく、第１の無線通信装置１００から第２の無線通信装置２００へ、映像音声データの送信元の切り替えを実行できる。
【００９４】
ステップＳ９０２では、第１の無線通信装置１００及び第２の無線通信装置２００と、第３の無線通信装置３００との間で、無線通信のための同期処理、及び接続処理が実行される。第１の無線通信装置１００と、第２の無線通信装置２００と、第３の無線通信装置３００との間で設定された規格に従って、同期処理、及び接続処理が実行される。例えば、WiMediaやIEEE802.15.3cなどの規格に従って処理が実行される。
【００９５】
ステップＳ９０４では、第１の無線通信装置１００にユーザ入力Ａが入力される。例えば、第１の無線通信装置１００のユーザ入力装置１０４のボタンスイッチが押された時間が所定の時間よりも短い場合に、ユーザ入力Ａが入力されたこととしてもよい。また、例えば、第１の無線通信装置１００のユーザ入力装置１０４のボタンスイッチが押された回数が所定の回数以外の回数押された場合に、ユーザ入力Ａが入力されたこととしてもよい。
【００９６】
ステップＳ９０６では、第１の無線通信装置１００は、第３の無線通信装置３００に、送出開始要求を行う。
【００９７】
ステップＳ９０８では、第３の無線通信装置３００は、第１の無線通信装置１００に、送出開始要求に対する応答を行う。
【００９８】
ステップＳ９１０では、第３の無線通信装置３００は、第２の無線通信装置２００に、送出停止要求を行う。
【００９９】
ステップＳ９１２では、第２の無線通信装置２００は、第３の無線通信装置３００に、送出停止要求に対する応答を行う。
【０１００】
ステップＳ９１４では、第１の無線通信装置１００と、第２の無線通信装置２００と、第３の無線通信装置３００との間で、通信帯域予約処理、通信予約削除処理が実行される。例えば、第１の無線通信装置１００と第３の無線通信装置３００との間で、通信帯域予約処理が実行される。また、第２の無線通信装置２００と第３の無線通信装置３００との間で、通信帯域削除処理が実行される。
【０１０１】
ステップＳ９１６では、第３の無線通信装置３００は、第１の無線通信装置１００に、送出開始要求を行う。
【０１０２】
ステップＳ９１８では、第１の無線通信装置１００は、第３の無線通信装置３００に、送出開始要求に対する応答を伝送する。
【０１０３】
ステップＳ９２０では、第１の無線通信装置１００は、第１の無線通信装置１００、第２の無線通信装置２００、及び第３の無線通信装置３００との間で設定された規格に従って、映像音声データの伝送を行う。例えば、WiMediaやIEEE802.15.3cなどの規格に従って処理が実行される。具体的には、図２を参照して説明したMACフレーム基本フォーマットのフレーム・ボディに、映像音声データが付帯される。WiMediaやIEEE802.15.3c、無線LANなどの無線通信規格では、MACアドレスなどの通信相手を識別するアドレスを使用して通信相手が識別される。
【０１０４】
ステップＳ９２２では、第２の無線通信装置２００は、省電力モードへ移行する。第２の無線通信装置２００は、映像音声データを伝送しないので、省電力モードへ移行するのが好ましい。例えば、第２の無線通信装置２００は、ハードウェアのクロックをゲーティングするなどして省電力モードへ移行する。つまり、第２の無線通信装置２００は、映像音声入力処理部２０２がハードウェアで構成されている場合には入力されるクロックや電源の供給を停止させる。
【０１０５】
ステップＳ９２４では、第１の無線通信装置１００にユーザ入力Ｂが入力される。例えば、第１の無線通信装置１００のユーザ入力装置１０４のボタンスイッチが所定の時間よりも長く押されることにより、ユーザ入力Ｂが入力されるようにしてもよい。また、例えば、第１の無線通信装置１００のユーザ入力装置１０４のボタンスイッチが所定の回数押されることによりユーザ入力Ａが入力されるようにしてもよい。
【０１０６】
ステップＳ９２６では、第１の無線通信装置１００は、映像音声データを送出する処理を停止する。
【０１０７】
ステップＳ９２８では、第１の無線通信装置１００は、第３の無線通信装置３００に、送出停止済通知を行う。
【０１０８】
ステップＳ９３０では、第３の無線通信装置３００は、第１の無線通信装置１００に、送出停止済通知に対する応答を行う。
【０１０９】
ステップＳ９３２では、第１の無線通信装置１００と、第２の無線通信装置２００と、第３の無線通信装置３００との間で、通信帯域予約処理、通信予約削除処理が実行される。例えば、第１の無線通信装置１００と第３の無線通信装置３００との間で、通信帯域削除処理が実行される。また、第２の無線通信装置２００と第３の無線通信装置３００との間で、通信帯域予約処理が実行される。
【０１１０】
ステップＳ９３４では、第３の無線通信装置３００は、第２の無線通信装置２００に、送出開始要求を行う。第３の無線通信装置３００は、同期用データ（ビーコン）を用いることで、省電力モードから動作モードへ復旧する。
【０１１１】
ステップＳ９３６では、第３の無線通信装置３００は、第１の無線通信装置１００に、送出開始要求に対する応答を伝送する。
【０１１２】
ステップＳ９３８では、第２の無線通信装置２００は、第１の無線通信装置１００と、第２の無線通信装置２００と、第３の無線通信装置３００との間で設定された規格に従って、映像音声データの伝送を行う。例えば、WiMediaやIEEE802.15.3cなどの規格に従って処理が実行される。具体的には、図２を参照して説明したMACフレーム基本フォーマットのフレーム・ボディに、映像音声データが付帯される。WiMediaやIEEE802.15.3c、無線LANなどの無線通信規格では、MACアドレスなどの通信相手を識別するアドレスを使用して通信相手が識別される。
【０１１３】
ステップＳ９４０では、第１の無線通信装置１００は、省電力モードへ移行する。第１の無線通信装置１００は、映像音声データを伝送しないので、省電力モードへ移行するのが好ましい。例えば、第１の無線通信装置１００は、ハードウェアのクロックをゲーティングするなどして省電力モードへ移行する。つまり、第１の無線通信装置１００は、映像音声入力処理部１０２がハードウェアで構成されている場合には入力されるクロックや電源の供給を停止させる。
【０１１４】
ステップＳ９０４、Ｓ９２４において、ユーザ入力装置１０４のボタンスイッチを押しながら回転させることにより、第１の無線通信装置１００、第２の無線通信装置２００から、映像音声データが順に出力されるようにしてもよい。
【０１１５】
図９に示される処理の順序は一例であり、この順序に限られず、異なる順序で動作してもよい。
【０１１６】
第１の無線通信装置１００と第２の無線通信装置２００との間で、映像音声データを送出する装置の切り替えが実行される度に、通信帯域の予約と通信帯域の解除を行うことにより、予め通信帯域が固定される場合と比較して、多くの帯域を使用することができるとともに、映像音声データを入力するタイミング、出力するタイミングを制御できる。
【０１１７】
＜第１の無線通信装置１００の動作＞
図１０は、第１の無線通信装置１００の動作の一変形例を示すフローチャートである。第２の無線通信装置２００の動作は図１０と略同一であるので、その説明を省略する。
【０１１８】
ステップＳ１００２では、第１の無線通信装置１００は、ユーザ入力があったか否かを判定する。ユーザ入力がないと判定された場合、ステップＳ１００２へ戻る。
【０１１９】
ステップＳ１００４では、ステップＳ１００２でユーザ入力があったと判定した場合、第１の無線通信装置１００は、映像音声データを送出中であるか否かを判定する。
【０１２０】
ステップＳ１００６では、ステップＳ１００４で映像音声データの送出中であると判定した場合、第１の無線通信装置１００は、映像音声データの送出を停止する。
【０１２１】
ステップＳ１００８では、ステップＳ１００４で映像音声データの送出中でないと判定した場合、他のソース機の映像音声データの送出を停止させる。具体的には、第１の無線通信装置１００は、第３の無線通信装置３００を経由して、第２の無線通信装置２００へ、映像音声データの送信を停止させる送出停止要求を送信するのが好ましい。
【０１２２】
ステップＳ１０１０では、ステップＳ１００６において映像音声データの送出を停止した後、又はステップＳ１００８において他のソース機の映像音声データの送出を停止させた後、第１の無線通信装置１００は、ユーザ入力Ａであるか否かを判定する。
【０１２３】
ステップＳ１０１２では、第１の無線通信装置１００は、ステップＳ１０１０においてユーザ入力Ａであると判定した場合、シンク機へ、ユーザ入力Ａ用の制御データを送出する。ユーザ入力Ａ用の制御データは、例えば、送出開始要求である。
【０１２４】
ステップＳ１０１４では、第１の無線通信装置１００は、第１の無線通信装置１００が映像音声データを送出できるように通信帯域を予約する。
【０１２５】
ステップＳ１０１６では、ステップＳ１０１０においてユーザ入力Ａでないと判定した場合、第１の無線通信装置１００は、ユーザ入力Ｂであるか否かを判定する。ユーザ入力Ｂでないと判定した場合、ステップＳ１００２へ戻る。
【０１２６】
ステップＳ１０１８では、第１の無線通信装置１００は、ステップＳ１０１０においてユーザ入力Ｂであると判定した場合、シンク機へ、ユーザ入力Ｂ用の制御データを送出する。ユーザ入力Ｂ用の制御データは、例えば、停止済通知である。
【０１２７】
ステップＳ１０２０では、第１の無線通信装置１００は、他のソース機が映像音声データを送出できるように通信帯域を予約する。
【０１２８】
ステップＳ１０２２では、第１の無線通信装置１００は、省電力モードへ移行する。
【０１２９】
図１０に示される処理の順序は一例であり、この順序に限られず、異なる順序で動作してもよい。
【０１３０】
＜第３の無線通信装置３００の動作＞
図１１は、第３の無線通信装置３００の動作の一変形例を示すフローチャートである。
【０１３１】
ステップＳ１１０２では、第３の無線通信装置３００は、ソース機から制御データを受信したか否かを判定する。ソース機から制御データを受信しないと判定した場合、ステップＳ１１０２へ戻る。
【０１３２】
ステップＳ１１０４では、ステップＳ１１０２でソース機から制御データを受信したと判定した場合、第３の無線通信装置３００は、ユーザ入力Ａ用の制御データであるか否かを判定する。
【０１３３】
ステップＳ１１０６では、ステップＳ１１０４でユーザ入力Ａ用の制御データであると判定した場合、第３の無線通信装置３００は、該ユーザ入力Ａ用の制御データの送信元以外の無線通信装置へ送出停止要求を送信する。
【０１３４】
ステップＳ１１０８では、第３の無線通信装置３００は、第１の無線通信装置１００と第２の無線通信装置２００との間で、通信帯域の削除と予約を行う。
【０１３５】
ステップＳ１１１０では、第３の無線通信装置３００は、該ユーザ入力Ａ用の制御用データの送信元に映像音声データの送出開始を要求する。
【０１３６】
ステップＳ１１１２では、ステップＳ１１０４でユーザ入力Ａ用の制御データでないと判定した場合、第３の無線通信装置３００は、ユーザ入力Ｂ用の制御データであるか否かを判定する。ユーザ入力Ｂ用の制御データでないと判定した場合、ステップＳ１１０２へ戻る。
【０１３７】
ステップＳ１１１４では、ステップＳ１１１２でユーザ入力Ｂ用の制御データであると判定した場合、第３の無線通信装置３００は、映像音声データを送出しているソース機に対して映像音声データの送出停止を要求する。
【０１３８】
ステップＳ１１１６では、第３の無線通信装置３００は、第１の無線通信装置１００と第２の無線通信装置２００との間で、通信帯域の削除と予約を行う。
【０１３９】
ステップＳ１１１８では、第３の無線通信装置３００は、ユーザ入力Ｂ用の制御データの送信元以外のソース機に映像音声データの送出開始を要求する。
【０１４０】
図１１に示される処理の順序は一例であり、この順序に限られず、異なる順序で動作してもよい。
【０１４１】
＜第２の実施例＞
＜通信システム＞
図１２は、通信システムの一実施例を示す。図１２には、通信システムの一実施例として、無線ネットワークプロジェクタシステムが示される。
【０１４２】
＜第１の無線通信装置１００＞
第１の無線通信装置１００は、図１を参照して説明した第１の無線通信装置１００に、映像音声圧縮部１１４と、映像音声記憶部１１６とを有するようにしたものである。
【０１４３】
映像音声圧縮部１１４は、制御部１１２と接続される。制御部１１２から、映像音声データが入力された場合に、該映像音声データを圧縮する。映像音声圧縮部１１４は、H.264に従って圧縮処理を行うのが好ましい。また、映像音声圧縮部１１４は、H.265に従って圧縮処理を行うのが好ましい。映像音声圧縮部１１４は、映像音声記憶部１１６へ、圧縮した映像音声データを格納する。
【０１４４】
制御部１１２は、必要に応じて、映像音声圧縮部１１４へ、映像音声入力処理部１０２からの映像音声データを入力する。制御部１１２は、映像音声データを圧縮するように設定されている場合に映像音声圧縮部１１４へ、映像音声入力処理部１０２からの映像音声データを入力するのが好ましい。また、制御部１１２は、映像音声記憶部１１６に格納された圧縮された映像音声データを無線通信処理部１１０から送信する制御を実行する。
【０１４５】
制御部１１２は、ユーザ入力装置１０４からの入力情報がユーザ入力Ｃであるか否かを判別する。入力情報がユーザ入力Ｃである場合、制御部１１２は、無線通信処理部１１０から第３の無線通信装置３００へ、映像音声入力処理部１０２からの映像音声データを送信する制御を停止する。映像音声データを送信する制御を停止した後、制御部１１２は、第３の無線通信装置３００へ、映像音声データを送信する制御を停止したことを示す停止済通知を送信する制御を実行する。入力情報がユーザ入力Ｃである場合には、第１の無線通信装置１００から第３の無線通信装置３００へ停止済通知が送信された後、第３の無線通信装置３００と第１の無線通信装置１００及び第２の無線通信装置２００との間で制御情報のやり取りが実行される。第３の無線通信装置３００と第１の無線通信装置１００との間で通信帯域の削除が実行されるとともに、第３の無線通信装置３００と、第１の無線通信装置１００及び第２の無線通信装置２００との間で新たに通信帯域の予約が実行される。
【０１４６】
第３の無線通信装置３００から、第１の無線通信装置１００及び第２の無線通信装置２００へ映像音声データの送信を要求する送出開始要求が送信される。制御部１１２は、第３の無線通信装置３００からの送出開始要求に対する応答を送信する制御を実行する。
【０１４７】
映像音声記憶部１１６は、映像音声圧縮部１１４と、制御部１１２と接続される。映像音声記憶部１１６は、映像音声データを圧縮する際のバッファである。映像音声記憶部１１６は、映像音声圧縮部１１４からの圧縮された映像音声データを格納する。
【０１４８】
第２の無線通信装置２００は、第１の無線通信装置１００と略同一であるため、その説明を省略する。
【０１４９】
＜第３の無線通信装置３００＞
第３の無線通信装置３００は、図１を参照して説明した第３の無線通信装置３００に、映像音声伸長部３１２と、映像音声記憶部３１４とを有するようにしたものである。
【０１５０】
映像音声伸長部３１２は、制御部３１０と接続される。制御部３１０から、圧縮された映像音声データが入力された場合に、該圧縮された映像音声データを伸長する。映像音声伸長部３１２は、H.264に従って伸長処理を行うのが好ましい。また、映像音声伸長部３１２は、H.265に従って伸長処理を行うのが好ましい。映像音声伸長部３１２は、映像音声記憶部３１４へ、伸長した映像音声データを格納する。
【０１５１】
制御部３１０は、必要に応じて、映像音声伸長部３１２へ、無線通信処理部３０２からの圧縮された映像音声データを入力する。また、制御部３１０は、映像音声記憶部３１４に格納された伸長された映像音声データを映像音声出力処理部３０８から出力する制御を実行する。
【０１５２】
制御部３１０は、第１の無線通信装置１００からユーザ入力Ｃに基づく停止済通知が入力された場合に、該停止済通知に対する応答を送信する制御を実行する。該応答の送信後、第３の無線通信装置３００からの送出開始要求が入力された場合に、該送出開始要求に対する応答を送信する制御を実行する。制御部３１０は、第３の無線通信装置３００へ、映像音声データを送信する制御を実行する。
【０１５３】
映像音声記憶部３１４は、映像音声伸長部３１２と、制御部３１０と接続される。映像音声記憶部３１４は、映像音声データを伸長する際のバッファである。映像音声記憶部３１４は、映像音声伸長部３１２からの伸長された映像音声データを格納する。
【０１５４】
無線ネットワークプロジェクタシステムの一実施例によれば、第１の無線通信装置１００、第２の無線通信装置２００では、映像音声データを圧縮することにより、映像音声データの容量を削減することができるため、無線通信処理の際の処理負荷を低減できる。また、映像音声データを圧縮することにより、映像音声データの容量を削減することができるため、通信帯域が狭い場合でも、無線通信における時間的な遅れを短縮できる。
【０１５５】
また、制御部３１０は、映像音声伸長部３１２へ、第１の無線通信装置１００及び第２の無線通信装置２００からの映像音声データを入力する。映像音声伸長部３１２は、第１の無線通信装置１００及び第２の無線通信装置２００からの映像音声データを伸長し、映像音声記憶部３１４に格納する。映像音声伸長部３１２は、映像音声記憶部３１４に、第１の無線通信装置１００及び第２の無線通信装置２００からの映像音声データを伸長し、格納する際に間引いて格納するようにしてもよい。制御部３１０は、映像音声記憶部３１４に格納された伸長された第１の無線通信装置１００及び第２の無線通信装置２００からの映像音声データを合成して略同時に映像音声出力処理部３０８に転送する。
【０１５６】
第１の無線通信装置１００及び第２の無線通信装置２００からの映像音声データを合成して略同時に映像音声出力処理部３０８に転送することにより、モニターなどの表示装置へ、第１の無線通信装置１００からの映像と、第２の無線通信装置２００からの映像を略同時に表示させることができる。
【０１５７】
また、第１の無線通信装置１００及び第２の無線通信装置２００からの映像データが空間的に少し離して撮影された少しの差異があるカメラ映像などであった場合、制御部３１０は、３Ｄ映像を表示できるように合成するようにしてもよい。
【０１５８】
＜無線ネットワークプロジェクタシステムにおける送受信処理（その４）＞
図１３は、無線ネットワークプロジェクタシステムにおける送受信処理の一実施例（その４）を示す。
【０１５９】
第１の無線通信装置１００、第２の無線通信装置２００、及び第３の無線通信装置３００は、時分割多元接続通信方式で、同一周波数帯を時間的に複数に分割して通信を行うのが好ましい。時分割多元接続通信方式は、WiMediaやミリ波通信で使用される。
【０１６０】
図１３において、横軸は時間である。時分割多元接続通信方式の一実施例では、一定時間を周期として、ネットワークに参加する第１の無線通信装置１００−第３の無線通信装置３００が同期用データ（ビーコン）を送信する。一定時間は、スーパーフレームと呼ばれてもよい。第１の無線通信装置１００−第３の無線通信装置３００により同期用データが送信されることにより、ネットワークへの参加やデータ通信の帯域予約交渉処理が行われる。
【０１６１】
無線ネットワークプロジェクタシステムにおける送受信処理の一実施例では、スーパーフレームにより表される一定区間内で、第１の無線通信装置１００及び第２の無線通信装置２００から略同時に映像音声データを送出する。
【０１６２】
図１３に示される例では、スーパーフレームで、シンク機へ、第１のソース機が映像音声データ（映像音声１）を送信するタイミングと略同一のタイミングで、第２のソース機からも映像音声データ（映像音声２）を送信する。
【０１６３】
＜無線ネットワークプロジェクタシステムの動作＞
図１４は、無線ネットワークプロジェクタシステムの動作の一変形例を示す。
【０１６４】
図１４に示される例では、第１の無線通信装置１００にユーザ入力が行われ、該第１の無線通信装置１００から映像音声データを略同時に伝送させる指示が実行される。ユーザは、第２の無線通信装置２００や、第３の無線通信装置３００の位置まで移動することなく、第１の無線通信装置１００から第２の無線通信装置２００との間で略同時の伝送させる指示を実行できる。
【０１６５】
ステップＳ１４０２では、第１の無線通信装置１００、第２の無線通信装置２００、及び第３の無線通信装置３００との間で、無線通信のための同期処理、及び接続処理が実行される。第１の無線通信装置１００、第２の無線通信装置２００、及び第３の無線通信装置３００との間で設定された規格に従って、同期処理、及び接続処理が実行される。例えば、WiMediaやIEEE802.15.3cなどの規格に従って処理が実行される。
【０１６６】
ステップＳ１４０４では、第１の無線通信装置１００にユーザ入力Ａが実行される。例えば、第１の無線通信装置１００のユーザ入力装置１０４のボタンスイッチが所定の時間よりも短い時間押されたことによりユーザ入力Ａが入力されるようにしてもよい。また、例えば、第１の無線通信装置１００のユーザ入力装置１０４のボタンスイッチが所定の回数以外の回数押されたことによりユーザ入力Ａが入力されるようにしてもよい。
【０１６７】
ステップＳ１４０６では、第１の無線通信装置１００は、第３の無線通信装置３００に、送出開始要求を行う。
【０１６８】
ステップＳ１４０８では、第３の無線通信装置３００は、第１の無線通信装置１００に、送出開始要求に対する応答を行う。
【０１６９】
ステップＳ１４１０では、第３の無線通信装置３００は、第２の無線通信装置２００に、送出停止要求を行う。
【０１７０】
ステップＳ１４１２では、第２の無線通信装置２００は、第３の無線通信装置３００に、送出停止要求に対する応答を行う。
【０１７１】
ステップＳ１４１４では、第１の無線通信装置１００と、第２の無線通信装置２００と、第３の無線通信装置３００との間で、通信帯域予約処理、通信予約削除処理が実行される。例えば、第１の無線通信装置１００と第３の無線通信装置３００との間で、通信帯域予約処理が実行される。また、第２の無線通信装置２００と第３の無線通信装置３００との間で、通信帯域削除処理が実行される。
【０１７２】
ステップＳ１４１６では、第３の無線通信装置３００は、第１の無線通信装置１００に、送出開始要求を行う。
【０１７３】
ステップＳ１４１８では、第１の無線通信装置１００は、第３の無線通信装置３００に、送出開始要求に対する応答を伝送する。
【０１７４】
ステップＳ１４２０では、第１の無線通信装置１００は、第１の無線通信装置１００と、第２の無線通信装置２００と、第３の無線通信装置３００との間で設定された規格に従って、映像音声データの伝送を行う。例えば、WiMediaやIEEE802.15.3cなどの規格に従って処理が実行される。具体的には、図２を参照して説明したMACフレーム基本フォーマットのフレーム・ボディに、映像音声データが付帯される。WiMediaやIEEE802.15.3c、無線LANなどの無線通信規格では、MACアドレスなどの通信相手を識別するアドレスを使用して通信相手が識別される。
【０１７５】
ステップＳ１４２２では、第２の無線通信装置２００は、省電力モードへ移行する。第２の無線通信装置２００は、映像音声データを伝送しないので、省電力モードへ移行するのが好ましい。例えば、第２の無線通信装置２００は、ハードウェアのクロックをゲーティングするなどして省電力モードへ移行する。つまり、第２の無線通信装置２００は、映像音声入力処理部２０２がハードウェアで構成されている場合には入力されるクロックや電源の供給を停止させる。
【０１７６】
ステップＳ１４２４では、第１の無線通信装置１００にユーザ入力Ｃが入力される。例えば、第１の無線通信装置１００のユーザ入力装置１０４のボタンスイッチが所定の時間よりも長い時間押されたことによりユーザ入力Ｃが入力されるようにしてもよい。
【０１７７】
ステップＳ１４２６では、第１の無線通信装置１００は、映像音声データを送出する処理を停止する。
【０１７８】
ステップＳ１４２８では、第１の無線通信装置１００は、第３の無線通信装置３００に、送出停止済み通知を行う。
【０１７９】
ステップＳ１４３０では、第３の無線通信装置３００は、第１の無線通信装置１００に、送出停止済み通知に対する応答を行う。
【０１８０】
ステップＳ１４３２では、第１の無線通信装置１００と、第２の無線通信装置２００と、第３の無線通信装置３００との間で、通信帯域予約処理、通信予約削除処理が実行される。例えば、第１の無線通信装置１００と第３の無線通信装置３００との間で、通信帯域削除処理が実行される。また、第２の無線通信装置２００と第３の無線通信装置３００との間で、通信帯域予約処理が実行される。
【０１８１】
ステップＳ１４３４では、第３の無線通信装置３００は、第１の無線通信装置１００に、送出開始要求を行う。
【０１８２】
ステップＳ１４３６では、第１の無線通信装置１００は、第３の無線通信装置３００に、送出開始要求に対する応答を伝送する。
【０１８３】
ステップＳ１４３８では、第３の無線通信装置３００は、第２の無線通信装置２００に、送出開始要求を行う。
【０１８４】
ステップＳ１４４０では、第２の無線通信装置２００は、第３の無線通信装置３００に、送出開始要求に対する応答を伝送する。
【０１８５】
ステップＳ１４４２では、第１の無線通信装置１００及び第２の無線通信装置２００は、第１の無線通信装置１００、第２の無線通信装置２００、及び第３の無線通信装置３００との間で設定された規格に従って、映像音声データの伝送を行う。例えば、WiMediaやIEEE802.15.3cなどの規格に従って処理が実行される。具体的には、図２を参照して説明したMACフレーム基本フォーマットのフレーム・ボディに、映像音声データが付帯される。WiMediaやIEEE802.15.3c、無線LANなどの無線通信規格では、MACアドレスなどの通信相手を識別するアドレスを使用して通信相手が識別される。
【０１８６】
図１４に示される処理の順序は一例であり、この順序に限られず、異なる順序で動作してもよい。
【０１８７】
第１の無線通信装置１００と第２の無線通信装置２００との間で、映像音声データを送出する装置の切り替えが実行される度に、通信帯域の予約と通信帯域の解除を行うことにより、予め通信帯域が固定される場合と比較して、多くの帯域を使用することができるとともに、映像音声データを入力するタイミング、出力するタイミングを制御できる。
【０１８８】
第１の無線通信装置１００及び第２の無線通信装置２００から略同時に映像音声データを伝送させることにより、第３の無線通信装置３００は、両装置からの映像音声データを合成して出力できる。
【０１８９】
＜第３の実施例＞
＜通信システム＞
図１５は、通信システムの一実施例を示す。図１５には、通信システムの一実施例として、無線ネットワークプロジェクタシステムが示される。
【０１９０】
＜第１の無線通信装置１００＞
第１の無線通信装置１００は、図１を参照して説明した第１の無線通信装置１００に、表示部１１８を有するようにしたものである。
【０１９１】
表示部１１８は、制御部１１２と接続される。表示部１１８は、ユーザ入力装置１０４に対して行われた操作内容を表示する。具体的には、表示部１１８は、ユーザ入力装置１０４のボタンスイッチが所定の時間よりも長い時間押された場合にボタンスイッチが長い時間押されたことを表示する。また、表示部１１８は、ユーザ入力装置１０４のボタンスイッチが所定の時間よりも短い時間押された場合にボタンスイッチが短い時間押されたことを表示する。
【０１９２】
表示部１１８は、LED(Light Emitting Diode)、LCD(Liquid Crystal Display)、液晶パネルであるのが好ましい。また、タッチパネルにより構成し、ユーザ入力装置１０４の機能と表示部１１８の機能とを合わせるようにしてもよい。
【０１９３】
第２の無線通信装置２００は、第１の無線通信装置１００と略同一であるため、その説明を省略する。
【０１９４】
＜第３の無線通信装置３００＞
第３の無線通信装置３００は、図１を参照して説明した第３の無線通信装置３００に、表示部３１６を有するようにしたものである。
【０１９５】
表示部３１６は、制御部３１０と接続される。表示部３１６は、第３の無線通信装置３００の処理内容を表示する。具体的には、表示部３１６は、映像音声出力処理部３０８から映像音声データを出力中である場合には、映像音声データを出力中であることを表示する。
【０１９６】
表示部３１６は、LED、LCD、液晶パネルであるのが好ましい。
【０１９７】
無線ネットワークプロジェクタシステムの一実施例によれば、第１の無線通信装置１００、第２の無線通信装置２００では、操作内容を表示できることにより、ユーザは操作内容を確認しつつ操作を行うことができる。例えば、誤操作を確認できるため、操作をやり直すことができる。第３の無線通信装置３００では、処理内容を表示できることにより、ユーザは処理内容を確認できる。
【０１９８】
＜無線ネットワークプロジェクタシステムの動作＞
図１６は、無線ネットワークプロジェクタシステムの動作の一変形例を示す。
【０１９９】
図１６に示される例では、第１の無線通信装置１００にユーザ入力が行われ、該入力内容を表示する処理が示される。
【０２００】
ステップＳ１６０２では、第１の無線通信装置１００は、ユーザ入力があったか否かを判定する。ユーザ入力がない場合、ステップＳ１６０２へ戻る。
【０２０１】
ステップＳ１６０４では、ステップＳ１６０２でユーザ入力があったと判定した場合、第１の無線通信装置１００は、長押しされたか否かを判定する。
【０２０２】
ステップＳ１６０６では、ステップＳ１６０４で長押しされたと判定した場合、第１の無線通信装置１００は、表示部１１８に、長押し操作があったことを表示し、終了する。
【０２０３】
ステップＳ１６０８では、ステップＳ１６０４で長押しされなかったと判定した場合、第１の無線通信装置１００は、表示部１１８に、非長押し操作があったことを表示し、終了する。
【０２０４】
表示部１１８に、第３の無線通信装置３００へ、映像音声データを伝送中であることを表示するようにしてもよい。また、表示部１１８に、第３の無線通信装置３００へ、映像音声データを伝送中である場合に、その伝送レートなどの通信品質を表示するようにしてもよい。また、表示部１１８に、第３の無線通信装置３００へ、映像音声データを伝送中である場合に、その映像の品質を表示するようにしてもよい。映像の品質として、解像度などの映像に関するパラメータを表示するようにしてもよい。
【０２０５】
＜第４の実施例＞
＜通信システム＞
図１７は、通信システムの一実施例を示す。図１７には、通信システムの一実施例として、無線ネットワークプロジェクタシステムが示される。
【０２０６】
＜第１の無線通信装置１００＞
第１の無線通信装置１００は、図１を参照して説明した第１の無線通信装置１００に、データ暗号・復号化部１２０を有するようにしたものである。
【０２０７】
データ暗号・復号化部１２０は、第３の無線通信装置３００と同一のアルゴリズムでマスター鍵を生成する。データ暗号・復号化部１２０は、マスター鍵と第３の無線通信装置３００のＭＡＣアドレスから暗号鍵を生成する。データ暗号・復号化部１２０は、マスター鍵の生成、暗号鍵の生成の際に、無線LANのWPS（Wi-Fi Protected Setup）規格のプッシュボタン方式を利用してもよい。具体的にはソース機とシンク機のボタンをそれぞれ押して暗号化処理の準備をする。データ暗号・復号化部１２０は、暗号鍵で第３の無線通信装置３００へ送信する映像音声データを暗号化する。データ暗号・復号化部１２０により暗号化されたデータは、無線通信処理部１１０から、第３の無線通信装置３００へ送信される。
【０２０８】
＜第３の無線通信装置３００＞
第３の無線通信装置３００は、図１を参照して説明した第３の無線通信装置３００に、データ暗号・復号化部３１８を有するようにしたものである。
【０２０９】
データ暗号・復号化部３１８は、第１の無線通信装置１００と同一のアルゴリズムでマスター鍵を生成する。データ暗号・復号部３１８は、マスター鍵と、第３の無線通信装置３００のＭＡＣアドレスに基づいて、暗号鍵に対する復号鍵を取得する。例えば、データ暗号・復号部３１８は、鍵発行センタ（図示なし）から復号鍵を取得するようにしてもよい。データ暗号・復号化部３１８は、復号鍵により第１の無線通信装置１００からの暗号化されたデータを復号し、制御部３１０に入力する。
【０２１０】
＜無線ネットワークプロジェクタシステムの動作＞
図１８は、無線ネットワークプロジェクタシステムの動作の一変形例を示す。
【０２１１】
図１８に示される例では、第１の無線通信装置１００にユーザ入力が行われ、該第１の無線通信装置１００から映像音声データを伝送させる指示が実行される。該第１の無線通信装置１００から暗号化された映像音声データが送信され、第３の無線通信装置３００は、第１の無線通信装置１００からの暗号化された映像音声データを復号する。
【０２１２】
ステップＳ１８０２では、第１の無線通信装置１００、第２の無線通信装置２００、及び第３の無線通信装置３００との間で、無線通信のための同期処理、接続処理、及び通信帯域予約処理が実行される。第１の無線通信装置１００、第２の無線通信装置２００、及び第３の無線通信装置３００との間で設定された規格に従って、同期処理、接続処理、及び通信帯域予約処理が実行される。例えば、WiMediaやIEEE802.15.3cなどの規格に従って処理が実行される。
【０２１３】
ステップＳ１８０４では、第１の無線通信装置１００は、マスター鍵を生成する。
【０２１４】
ステップＳ１８０６では、第３の無線通信装置３００は、マスター鍵を生成する。
【０２１５】
ステップＳ１８０８では、第１の無線通信装置１００と第３の無線通信装置３００との間で、暗号鍵の生成、共有が行われる。例えば、第１の無線通信装置１００は、マスター鍵と第３の無線通信装置３００のＭＡＣアドレスとに基づいて、暗号鍵を生成する。第３の無線通信装置３００は、マスター鍵と第３の無線通信装置３００のＭＡＣアドレスに基づいて復号鍵を取得する。
【０２１６】
ステップＳ１８１０では、第１の無線通信装置３００にユーザ入力Ａが入力される。例えば、第１の無線通信装置１００のユーザ入力装置１０４のボタンスイッチが所定の時間よりも短い時間押されたことによりユーザ入力Ａが入力されるようにしてもよい。また、例えば、第１の無線通信装置１００のユーザ入力装置１０４のボタンスイッチが所定の回数以外の回数押されたことによりユーザ入力Ａが入力されるようにしてもよい。
【０２１７】
ステップＳ１８１２では、第１の無線通信装置１００は、第３の無線通信装置３００に、送出開始要求を行う。
【０２１８】
ステップＳ１８１４では、第３の無線通信装置３００は、第１の無線通信装置１００に、送出開始要求に対する応答を行う。
【０２１９】
ステップＳ１８１６では、第３の無線通信装置３００は、第２の無線通信装置２００に、送出停止要求を行う。
【０２２０】
ステップＳ１８１８では、第２の無線通信装置２００は、第３の無線通信装置３００に、送出停止要求に対する応答を行う。
【０２２１】
ステップＳ１８２０では、第２の無線通信装置２００は、省電力モードへ移行する。第２の無線通信装置２００は、映像音声データを伝送しないので、省電力モードへ移行するのが好ましい。例えば、第２の無線通信装置２００は、ハードウェアのクロックをゲーティングするなどして省電力モードへ移行する。つまり、第２の無線通信装置２００は、映像音声入力処理部２０２がハードウェアで構成されている場合には入力されるクロックや電源の供給を停止させる。
【０２２２】
ステップＳ１８２２では、第１の無線通信装置１００は、第１の無線通信装置１００と、第２の無線通信装置２００と、第３の無線通信装置３００との間で設定された規格に従って、映像音声データの伝送を行う。例えば、WiMediaやIEEE802.15.3cなどの規格に従って処理が実行される。具体的には、図２を参照して説明したMACフレーム基本フォーマットのフレーム・ボディに、映像音声データが付帯される。WiMediaやIEEE802.15.3c、無線LANなどの無線通信規格では、MACアドレスなどの通信相手を識別するアドレスを使用して通信相手が識別される。
【０２２３】
通信システムの一実施例によれば、映像音声データを暗号化して送信することにより、該映像音声データが無線伝送の際に盗まれる可能性を低減できる。このため、セキュリティの高いシステムを構築できる。
【０２２４】
本発明は特定の実施例、変形例を参照しながら説明されてきたが、各実施例、変形例は単なる例示に過ぎず、当業者は様々な変形例、修正例、代替例、置換例等を理解するであろう。説明の便宜上、本発明の実施例に従った装置は機能的なブロック図を用いて説明されたが、そのような装置はハードウェアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０２２５】
１００  第１の無線通信装置
１０２  映像音声入力処理部
１０４  ユーザ入力装置
１０６  装置情報記憶部
１０８  無線通信情報記憶部
１１０  無線通信処理部
１１２  制御部
１１４  映像音声圧縮部
１１６  映像音声記憶部
１１８  表示部
１２０  データ暗号復号化部
２００  第２の無線通信装置
２０２  映像音声入力処理部
２０４  ユーザ入力装置
２０６  装置情報記憶部
２０８  無線通信情報記憶部
２１０  無線通信処理部
２１２  制御部
２１４  映像音声圧縮部
２１６  映像音声記憶部
２１８  表示部
２２０  データ暗号・復号化部
３００  第３の無線通信装置
３０２  無線通信処理部
３０４  装置情報記憶部
３０６  無線通信情報記憶部
３０８  制御部
３１０  映像音声入力処理部
３１２  映像音声伸長部
３１４  映像音声記憶部
３１６  表示部
３１８  データ暗号・復号化部
３２０  ユーザ入力装置
【先行技術文献】
【特許文献】
【０２２６】
【特許文献１】特開２００８−２５２９２９号公報
【特許文献２】特開２００４−２０８２９０号公報
【図１】
2014179696.tif 000003
【図２】
2014179696.tif 000004
【図３】
2014179696.tif 000005
【図４】
2014179696.tif 000006
【図５】
2014179696.tif 000007
【図６】
2014179696.tif 000008
【図７】
2014179696.tif 000009
【図８】
2014179696.tif 000010
【図９】
2014179696.tif 000011
【図１０】
2014179696.tif 000012
【図１１】
2014179696.tif 000013
【図１２】
2014179696.tif 000014
【図１３】
2014179696.tif 000015
【図１４】
2014179696.tif 000016
【図１５】
2014179696.tif 000017
【図１６】
2014179696.tif 000018
【図１７】
2014179696.tif 000019
【図１８】
2014179696.tif 000020